(57)【特許請求の範囲】
【請求項１】
個体から採取した血液の血清又は血漿の補体濃度及び/又は補体価を測定し、測定した補体濃度及び/又は補体価がより高い個体は、測定した補体濃度及び/又は補体価がより低い個体と比較して、β-1,3-グルカンに対する感受性がより強いと予測する、β-1,3-グルカン感受性予測方法であって、測定される補体がＣ３及び/又はＣ４である、β-1,3-グルカン感受性予測方法。
【請求項２】
測定される補体濃度及び/又は補体価がＣ４の補体濃度である、請求項１記載のβ-1,3-グルカン感受性予測方法。
【請求項３】
β-1,3-グルカンがレンチナンである、請求項１又は２記載のβ-1,3-グルカン感受性予測方法。
【請求項４】
個体から採取した血液の血清又は血漿の補体濃度及び/又は補体価を測定し、測定した補体濃度及び/又は補体価がより高い個体は、測定した補体濃度及び/又は補体価がより低い個体と比較して、ＣＤ１４陽性単球のβ-1,3-グルカン結合能がより高いと予測する、ＣＤ１４陽性単球のβ-1,3-グルカン結合能予測方法であって、測定される補体がＣ３及び/又はＣ４である、β-1,3-グルカン結合能予測方法。
【請求項５】
測定される補体濃度及び/又は補体価がＣ４の補体濃度である、請求項４記載のＣＤ１４陽性単球のβ-1,3-グルカン結合能予測方法。
【請求項６】
β-1,3-グルカンがレンチナンである、請求項４又は５記載のＣＤ１４陽性単球のβ-1,3-グルカン結合能予測方法。
【発明の詳細な説明】
【技術分野】
【０００１】
本発明は、グルカン感受性予測方法、グルカン感受性増強剤及びそのスクリーニング方法に関するものである。
【背景技術】
【０００２】
レンチナンといったβ−グルカンなどの免疫賦活多糖は、免疫賦活剤や抗悪性腫瘍剤として効果があることが知られているが、効果の発現には個体差が大きいことも知られている（非特許文献１）。
一方、ヒトやマウスなどの哺乳類の末梢血単核球、例えば、単球、顆粒球やリンパ球の表面に免疫賦活多糖が結合することが知られている（非特許文献２及び３）。そして、末梢血単核球への免疫賦活多糖の結合能には個体差やマウス系統差があることが示されており、免疫賦活多糖の効果発現と結合能は相関する可能性が大きい。
免疫賦活多糖の末梢血単核球への結合能は、抗レンチナン抗体などの免疫賦活多糖の抗体を用いる方法が知られているが、この方法では、抗レンチナン抗体はIgMなので使用しにくく、又抗レンチナン抗体は自家生産であり、力価が一定のものを恒常的に供給するのは困難であるとの問題がある。さらに、血液から白血球画分を分離し、血清存在下で反応にかけるため、操作が煩雑であるとの問題がある。
【０００３】
これに対して、蛍光標識免疫賦活多糖を末梢血単核球（全血）に添加培養し、その蛍光強度を測定することが行われている（非特許文献４及び５）。そして、ＣＤ１４陽性単球のレンチナン結合率は、レンチナン感受性と相関することが示されている（非特許文献６）。
しかしながら、この方法は高価であり、より安価に、より容易にグルカン感受性を測定する方法が求められている。
【０００４】
【非特許文献１】Cancer Res. 44: 5132 (1984)
【非特許文献２】50th Annual Mtg. Proc. Jpn. Cancer Assoc. p259 (1991)
【非特許文献３】Int. J. Immunopharmac. 18: 211 (1996)
【非特許文献４】J. Clin. Invest. Vol. 98, No. 1, July 1996, pp50-61
【非特許文献５】J. Exp. Med. Vol. 196, No.3, August 5, 2002, pp407-412
【非特許文献６】Biotherapy19(suppl. I): 65, October. 2005, W-1-5
【発明の開示】
【発明が解決しようとする課題】
【０００５】
本発明は、より安価に、より容易にグルカン感受性を測定する方法を提供することを目的とする。
また、本発明は、グルカン感受性増強剤及びそのスクリーニング方法を提供することを目的とする。
【課題を解決するための手段】
【０００６】
本発明は、個体から採取した血液の血清又は血漿の少なくとも１つの補体濃度及び/又は補体価を測定し、測定した補体濃度及び補体価とその基準値とを比較することにより、グルカンに対する感受性を精度良く予測することができ、これによれば効果的に上記課題を解決できるとの知見に基づいてなされたものである。
すなわち、本発明は、個体から採取した血液の血清又は血漿の少なくとも１つの補体濃度及び/又は補体価を測定し、測定した補体濃度及び補体価とその基準値とを比較することにより、グルカンに対する感受性を予測する、グルカン感受性予測方法を提供する。
また、本発明は、個体から採取した血液の血清又は血漿の少なくとも１つの補体濃度及び/又は補体価を測定し、測定した補体濃度及び補体価とその基準値とを比較することにより、ＣＤ１４陽性単球のグルカン結合能を予測する、ＣＤ１４陽性単球のグルカン結合能予測方法を提供する。
さらに、本発明は、補体活性化経路を誘導する物質を含むグルカン感受性増強剤及びＣＤ１４陽性単球のグルカン結合能増強剤を提供する。
さらに、本発明は、補体産生増強物質を含むグルカン感受性増強剤及びＣＤ１４陽性単球のグルカン結合能増強剤を提供する。
さらに、本発明は、候補物質の投与前後に個体から採取した血液の血清又は血漿の少なくとも１つの補体濃度及び/又は補体価を測定し、候補物質の投与前後で補体濃度及び/又は補体価を比較することを含むグルカン感受性増強物質のスクリーニング方法及びＣＤ１４陽性単球のグルカン結合能増強物質のスクリーニング方法を提供する。
試験管内で血液に候補物質を添加培養後血清又は血漿を分離し少なくとも１つの補体濃度及び/又は補体価を測定し、候補物質非添加の血清又は血漿の補体濃度及び/又は補体価と比較することを含むグルカン感受性増強物質のスクリーニング方法及びＣＤ１４陽性単球のグルカン結合能増強物質のスクリーニング方法を提供する。
【発明を実施するための最良の形態】
【０００７】
本発明のグルカン感受性予測方法及びＣＤ１４陽性単球のグルカン結合能予測方法は、個体から採取した血液の血清又は血漿の少なくとも１つの補体濃度及び/又は補体価を測定することを含む。
本発明のグルカンとしては、αグルカンおよびβグルカンのいずれでも良いが、特にβグルカンが好ましく、β-1,3-グルカンがより好ましい。βグルカンとしては、レンチナン、ザイモザン、パヒマラン、シゾフィラン、プスチュラン、スクレログルカン及びリヘナンなどが挙げられる。中でも特にレンチナンに対して効果的である。
濃度を測定する補体としては、Ｃ１〜Ｃ９の９種類の補体が挙げられ、１種の補体濃度を測定すれば、βグルカン感受性及びＣＤ１４陽性単球のβグルカン結合能を予測することが可能であるが、２種以上の補体濃度を測定することによって、その精度を高めることができる。これらの補体のうち、Ｃ３及び/又はＣ４の濃度を測定することが好ましい。
補体濃度は、当業者に公知の任意の方法を用いて測定することができる。例えば、免疫比濁法、一元免疫核酸方（single radial immunodiffusion; ＳＲＩＤ）、レーザーネフェロメトリー、ラテックス凝集比濁法などが挙げられる。なお、補体濃度は、上記補体の分解産物を測定することによっても求めることができる。
補体価は、活性化を受けずに残ったＣ１〜Ｃ９の総合的な活性を表す指標であり、当業者に公知の任意の方法を用いて測定することができる。例えば、ヒツジ赤血球に、抗体（溶血素）を反応させた一定量のヒツジ感作赤血球（ＥＡ）を血清と反応させると、血清中の補体量に応じて、溶血の程度が変化する。7.5 mlの液中で37℃、60分反応させたとき、５×108個のＥＡの50％を溶血するのに必要な補体量を１単位（１ CH50）として、補体価が求められる（Mayer MM: Complement and complement fixation. In: Experimental Immunochemistry (ed by Kabat EA, Mayer MM), p133-240, Charles C Thomas Publisher, Springerfield, 1961）。
【０００８】
次に、本発明は、測定した補体濃度及び補体価とその基準値とを比較することを含む。本発明者らの研究によれば、補体濃度及び/又は補体価は、グルカン感受性又はＣＤ１４陽性単球のグルカン結合率と良く相関しており、補体濃度及び/又は補体価が高い個体においては、グルカン感受性が強く、又はＣＤ１４陽性単球のグルカン結合率が高い。したがって、測定した補体濃度及び補体価とその基準値とを比較することによって、個体のグルカン感受性又はＣＤ１４陽性単球のグルカン結合能を予測することができる。
補体濃度及び補体価の基準値は、βグルカン感受性又はＣＤ１４陽性単球のグルカン結合率と補体濃度又は補体価との相関から求めることができるが、一般的には、免疫学的検査項目として定められている基準値を用いることができる。例えば、Ｃ３については、基準値は50 mg/mlであり、Ｃ４については、11 mg/dlである。また、補体価についは、25 CH50/mlである。
測定した補体濃度及び補体価のうち少なくとも１つが、その基準値以上である場合には、グルカンに対する感受性又はＣＤ１４陽性単球のグルカン結合能があると予測できる。また、測定した補体濃度及び補体価のうち少なくとも１つが、その基準値未満である場合には、グルカンに対する感受性又はＣＤ１４陽性単球のグルカン結合能が弱いと予測できる。
【０００９】
また、補体濃度及び/又は補体価を高めることによって、グルカン感受性が強くなり、又はＣＤ１４陽性単球のグルカン結合率が高くなることから、補体活性化経路を誘導する物質及び補体産生増強物質は、グルカン感受性及びＣＤ１４陽性単球のグルカン結合能を増強する。
補体活性化経路を誘導する物質としては、例えばＩｇＡ、ＩｇＤ、ＩｇＥ、ＩｇＭ、ＩｇＧ１、ＩｇＧ２、ＩｇＧ３などの免疫グロブリン、Ｃ多糖体-ＣＲＰ結合物、ポリマーＤＮＡ、細菌リポ多糖体、デキストラン、デキストラン硫酸、polyanion-polycation結合物、ザイモザン（酵母・グラム陰性菌の菌膜）、マンナン、細菌壁ペプチドグリカン、イヌリンなどのポリマー性物質、トリプシン、プラスミンなどの蛋白分解酵素、トリパノソーマ、赤痢アメーバ、シストソミューラなどの微生物、ウイルス感染細胞、腫瘍細胞などの細胞、尿酸結晶、心筋ミトコンドリア、レトロウイルス、コブラ毒、透析膜、C3 nephritic factor（抗Ｃ３ｂ・Ｂｂ自己抗体）などが挙げられる。
補体産生増強物質としては、例えばＬＰＳ、ビタミンＡ、Ｃ、Ｄ、Ｅ、ＩＦＮ-γ、免疫複合体などが挙げられる。
前記補体活性化経路を誘導する物質又は補体産生増強物質は、補体活性化経路を誘導するのに効果的な量又は補体を増強するのに有効な量にて投与される。１日当たりの補体活性化経路を誘導するのに効果的な量は、物質ごとに異なっており、当業者において適宜選択される。
【００１０】
本発明の、補体活性化経路を誘導する物質を含むグルカン感受性及びＣＤ１４陽性単球のグルカン結合能増強剤には、上記の補体活性化経路を誘導する物質以外に、これらの物質の活性に影響を及ぼさない範囲で、賦形剤などの添加剤を加えてもよい。
本発明のグルカン感受性及びＣＤ１４陽性単球のグルカン結合能増強剤は、適宜の剤形でよく、例えば散剤、細粒剤、顆粒剤、錠剤、カプセル剤、液剤等に調製される。
散剤、細粒剤、顆粒剤、錠剤、カプセル剤等に加える添加剤としては、賦形剤（例えば、乳糖、ブドウ糖、Ｄ−マンニトール、澱粉、結晶セルロース、炭酸カルシウム、カオリン、軽質無水ケイ酸、トレハロースなど）、結合剤（例えば、デンプン糊液、ゼラチン溶液、ヒドロキシプロピルセルロース、ヒドロキシプロピルメチルセルロース、ポリビニルピロリドン、エタノールなど）、崩壊剤（例えば、デンプン、ゼラチン末、カルボキシメチルセルロース、カルボキシメチルセルロースカルシウム塩など）、滑沢剤（例えば、ステアリン酸マグネシウム、タルクなど）、コーティング剤（例えば、ヒドロキシプロピルセルロース、ヒドロキシプロピルメチルセルロース、アセチルセルロース、白糖、酸化チタンなど）等があり、その他必要に応じて着色剤、矯味・矯臭剤等が加えられる。また、内用液剤に加えられる添加剤としては、保存剤（例えば、安息香酸、パラオキシ安息香酸エステル、デヒドロ酢酸ナトリウムなど）、懸濁化剤または乳化剤（例えば、アラビアゴム、トラガント、カルボキシメチルセルロースナトリウム塩、メチルセルロース、卵黄、界面活性剤など）、甘味・酸味剤（例えば、トレハロース、クエン酸など）等があり、その他必要に応じて着色剤、安定剤等が加えられ、これらに使用される溶剤は、主として精製水であるが、エタノール、グリセリン、プロピレングリコール等も使用することができる。
【００１１】
本発明のグルカン感受性及びＣＤ１４陽性単球のグルカン結合能増強剤は、補体活性化経路を誘導する物質をそのままか、または各剤形に応じた薬学的、製剤学的に許容される添加剤と混合・造粒し、もしくは適当な溶剤中に溶解して乳化または懸濁し、さらには適当な基剤と混合する等して、常法により調製することができる。
本発明のグルカン感受性及びＣＤ１４陽性単球のグルカン結合能増強剤は、経口又は非経口的に投与することができる。なお、上記の補体活性化経路を誘導する物質の含有量は、１日１回又は数回の服用によって、上述の１日当たりの投与量が達成できるように調整される。好ましい投与方法としては、経口、経腸（チューブを使用するなどした経胃、経十二指腸、胃ろう（ＰＥＧ）、浣腸が好ましい）、静脈内投与が挙げられる。
【００１２】
また、上記以外のグルカン感受性増強物質及びＣＤ１４陽性単球のグルカン結合能増強物質（すなわち、補体活性化経路を誘導する物質又は補体産生増強物質）は、候補物質の投与前後に個体から採取した血液の血清又は血漿の少なくとも１つの補体濃度及び/又は補体価を測定し、候補物質の投与前後で補体濃度及び/又は補体価を比較することによってスクリーニングすることができる。あるいは、候補物質を血液に添加し試験管内で培養後分離した血清又は血漿の少なくとも１つの補体濃度及び/又は補体価を測定し、候補物質非添加の血清または血漿の補体濃度及び/又は補体価と比較することによってスクリーニングすることができる。候補物質の投与前（非添加）に比べて、候補物質の投与後（添加）の補体濃度及び/又は補体価が高くなっていれば、候補物質は、グルカン感受性増強物質又はＣＤ１４陽性単球のグルカン結合能増強物質として機能するものである。
候補物質を添加した血液の試験管内での培養においては、培地としてＤＭＥＭやＲＰＭＩ１６４０などの一般的に使用されているものであればいずれも使用できる。また、培地を使用せず、全血で培養を行っても良い。培養は、上記培地で血液を０〜100倍に薄めて行う。培養条件は、４〜37℃で15分間〜24時間行う。
【実施例１】
【００１３】
（ＣＤ１４陽性単球のレンチナン結合能測定法）
健康人５名から採取した血液に抗凝固剤としてヘパリンを添加した。血液100μlをポリスチレンチューブに分注し、Fluorescein標識レンチナンを100μg/mlになるように添加した。37℃で45分反応させた後、ＰＥ標識抗ＣＤ１４抗体を添加し、さらに30分間反応させた。溶血剤（0.826％塩化アンモニウム＋0.1％炭酸水素カリウム＋0.0037％ＥＤＴＡ・４Ｎａ/蒸留水 ｐＨ＝7.0）４mlを加え室温で溶血し、洗浄用緩衝液（0.1％ＢＳＡ＋0.1％アジ化ナトリウム/ＰＢＳ(-)）１mlで１回洗浄し、洗浄用緩衝液に懸濁しメッシュを通した後、ＦＡＣＳ Caliburによる２カラー（Fluorescein/ＰＥ）解析を行った。
データ解析は、ＳＳＣ/ＦＬ２（ＰＥ）でＣＤ１４陽性単球を分画し、ＣＤ１４陽性単球のＦＬ１（ＦＩＴＣ）ヒストグラムを作成、チャネル2763以上に存在する細胞の割合について行った。
【００１４】
（補体受容体に対する抗体のレンチナン結合能阻害率）
健康人５名から採取した血液に抗凝固剤としてヘパリンを添加した。血液200μlをポリスチレンチューブに分注し、抗ＣＤ１１ｂ抗体、抗ＣＤ３５抗体、あるいはコントロール抗体を添加した。37℃で30分間反応後、Fluorescein標識レンチナンを100μg/mlになるように添加した。37℃で45分間反応させた後、ＰＥ標識抗ＣＤ１４抗体を添加し、さらに30分間反応させた。溶血剤（0.826％塩化アンモニウム＋0.1％炭酸水素カリウム＋0.0037％ＥＤＴＡ・４Ｎａ/蒸留水 ｐＨ＝7.0）４mlを加え室温で溶血し、洗浄用緩衝液（0.1％ＢＳＡ＋0.1％アジ化ナトリウム/ＰＢＳ(-)）１mlで１回洗浄し、洗浄用緩衝液に懸濁しメッシュを通した後、ＦＡＣＳ Caliburによる２カラー（Fluorescein/ＰＥ）解析を行った。
データ解析は、ＳＳＣ/ＦＬ２（ＰＥ）でＣＤ１４陽性単球を分画し、ＣＤ１４陽性単球のＦＬ１（ＦＩＴＣ）ヒストグラムを作成、チャネル2763以上に存在する細胞の割合について行った。コントロール抗体添加時の細胞の割合と補体受容体に対する抗体添加時の細胞の割合を比較し、阻害率を算出した。
阻害率（％）＝（１−補体受容体に対する抗体添加時の細胞の割合/コントロール抗体添加時の細胞の割合）×100
【００１５】
（ＣＤ１４陽性単球の補体受容体発現率）
健康人３名から採取した血液に抗凝固剤としてヘパリンを添加した。血液200μlをポリスチレンチューブに分注し、ＦＩＴＣ標識抗ＣＤ１４抗体とＰＥ標識抗ＣＤ１１ｂ抗体あるいはＰＥ標識抗ＣＤ３５抗体を添加、37℃で30分間反応させた。その後、溶血剤10mlを加え室温で溶血し、洗浄用緩衝液３mlで１回洗浄し、洗浄用緩衝液に懸濁しメッシュを通した後、ＦＡＣＳ Caliburによる２カラー（Fluorescein/ＰＥ）解析を行った。
データ解析は、ＳＳＣ/ＦＳＣで単球を分画し、ＦＬ１/ＦＬ２に展開、ＦＬ１陽性細胞におけるＦＬ２陽性細胞の割合について行った。
【００１６】
（ＣＤ１４陽性単球のレンチナン結合能に与える血漿成分の影響）
健康人５名から採取した血液に抗凝固剤としてヘパリンを添加した。血液２mlを3000rpm、10分間遠心分離し、血漿を１ml採取した。血球に１mlの溶血剤（0.826％塩化アンモニウム＋0.1％炭酸水素カリウム＋0.0037％ＥＤＴＡ・４Ｎａ/蒸留水 ｐＨ＝7.0）を加え、ポリスチレンチューブ２本に200μl/tubeで分注した。さらに溶血剤10mlを加え室温で溶血し、洗浄用緩衝液で１回洗浄し、容量を100μlにあわせた。採取した血漿は0.5mlずつに分け、一方を56℃で30分間の加熱により非働化した。一方のチューブには血漿を、もう一方のチューブには非働化した血漿を、100μl添加した。別のポリスチレンチューブには血液を200μl /tubeで分注した。これら３本のチューブに、Fluorescein標識レンチナンを100μg/mlになるように添加した。37℃で45分間反応させた後、ＰＥ標識抗ＣＤ１４抗体を添加し、さらに30分間反応させた。血液を入れたチューブは、溶血剤４mlを加え室温で溶血した。全てのサンプルは、洗浄用緩衝液（0.1％ＢＳＡ＋0.1％アジ化ナトリウム/ＰＢＳ(-)）１mlで１回洗浄し、洗浄用緩衝液に懸濁しメッシュを通した後、ＦＡＣＳ Caliburによる２カラー（Fluorescein/ＰＥ）解析を行った。
データ解析は、ＳＳＣ/ＦＬ２（ＰＥ）でＣＤ１４陽性単球を分画し、ＣＤ１４陽性単球のＦＬ１（ＦＩＴＣ）ヒストグラムを作成、チャネル2763以上に存在する細胞の割合について行った。
【００１７】
（血清および血漿の補体価、補体濃度測定）
健康人３名から採取した血液を２本のチューブに半量ずつ分注し、一方に抗凝固剤としてヘパリンを添加した。3000rpm、10分間遠心分離し、血清あるいは血漿を採取した。採取した血清および血漿は-80℃に保管し、（株）エスアールエルに、補体価、補体濃度（Ｃ３、Ｃ４）の測定を依頼した。
【００１８】
（実験結果）
（健康人５名のＣＤ１４陽性単球のレンチナン結合能）
ＣＤ１４陽性単球におけるレンチナン結合細胞の割合を図１に示す。５名のレンチナン結合能には個人差があり、Ａ、Ｄは結合能が高く、Ｂ、Ｃは結合能が低かった。
【００１９】
（補体受容体に対する抗体のレンチナン結合能阻害率）
補体受容体に対する抗体のレンチナン結合能阻害率を図２に示す。レンチナン結合能の個人差に関わらず、ＣＤ１１ｂ、ＣＤ３５の抗体添加により単球へのレンチナン結合が阻害されたことから、単球の補体受容体を介してレンチナンが結合することが分かった。
【００２０】
（ＣＤ１４陽性単球の補体受容体発現率）
図３に健康人３名のＣＤ１４陽性単球における補体受容体発現率を示す。レンチナン結合能の個人差に関わらず、ＣＤ１１ｂ、ＣＤ３５とも、ＣＤ１４陽性単球のほとんどの単球に発現が認められた。
【００２１】
（ＣＤ１４陽性単球のレンチナン結合能に与える血漿成分の影響）
レンチナン結合能の個人差の原因が単球側ではなかったため、血漿成分に注目し、非働化血漿を用いた場合にレンチナン結合が低下するか否か検討した。レンチナン結合能の個人差に関わらず、血漿の非働化により単球へのレンチナン結合は著しく低下した（図４）。また、図５に、全血で測定した結合能と白血球＋非働化血漿で測定した結合能との差を縦軸に、全血で測定した結合能を横軸にして５例の結果をプロットした結果を示す。これらの値には有意な相関が認められ、結合能の個人差は血漿成分に規程されているものと考えられる。
【００２２】
（血清および血漿の補体価、補体濃度測定）
図６〜８に血清および血漿の補体価（図８）、補体濃度（Ｃ３（図６）、Ｃ４（図７））を示す。血清と血漿に違いは認められなかった。また、いずれの項目に関しても個人差がみられたが、補体価とＣ３濃度はＡ＞Ｃ≧Ｂ、Ｃ４はＡ＞Ｂ＞Ｃと、Ａが高値であった。単球のレンチナン結合能もＡが最も強く、補体価および補体濃度とレンチナン結合能が相関する可能性が示唆された。
【図面の簡単な説明】
【００２３】
【図１】ＣＤ１４陽性単球のレンチナン結合能を示すグラフである。
【図２】補体受容体に対する抗体のレンチナン結合能阻害率を示すグラフである。
【図３】ＣＤ１４陽性単球の補体受容体発現率を示すグラフである。
【図４】ＣＤ１４陽性単球のレンチナン結合能に与える血漿成分の影響を示すグラフである。
【図５】全血で測定した結合能と白血球＋非働化血漿で測定した結合能との相関を示すグラフである。
【図６】血清及び血漿のＣ３濃度を示すグラフである。
【図７】血清及び血漿のＣ４濃度を示すグラフである。
【図８】血清及び血漿の補体価を示すグラフである。
【図１】
0004666284.tif 000002
【図２】
0004666284.tif 000003
【図３】
0004666284.tif 000004
【図４】
0004666284.tif 000005
【図５】
0004666284.tif 000006
【図６】
0004666284.tif 000007
【図７】
0004666284.tif 000008
【図８】
0004666284.tif 000009